(57)【要約】【課題】フロアパネルの天板の曲げ変形を防止すること。【解決手段】本開示のフロアパネル補強部材１０は、平面視略正方形状の天板５１から複数の支持脚５２が垂下した構造を有する樹脂製のフロアパネル５０を補強するためのものである。フロアパネル補強部材１０は、天板５１に下方から重ねられて、天板５１の下面に突設された複数の下面リブ６０に突き合わされるベース板１１と、ベース板１１の上面に突設され、複数のリブ６０に囲まれて形成されるリブ内空間に差し込まれて該リブ内空間の変形を抑制する差込突部２１と、フロアパネル５０と係合してベース板１１の落下を規制する脱落規制部と、を有する。【選択図】図１０
2020051024.tif 000002
【特許請求の範囲】
【請求項１】
平面視略正方形状の天板から複数の支持脚が垂下した構造を有して、床面の上に敷設されたときに該床面との間に配線スペースを形成する樹脂製のフロアパネルを補強するためのフロアパネル補強部材であって、
前記天板に下方から重ねられて、前記天板の下面に突設された複数の下面リブに突き合わされるベース板と、
前記ベース板の上面に突設され、前記複数の下面リブに囲まれて形成されるリブ内空間に差し込まれて該リブ内空間の変形を抑制する差込突部と、
前記フロアパネルと係合して前記ベース板の落下を規制する落下規制部と、を有するフロアパネル補強部材。
【請求項２】
前記差込突部は、前記リブ内空間の内周面に嵌合される、請求項１に記載のフロアパネル補強部材。
【請求項３】
前記差込突部は、前記リブ内空間の内周面と同形状の筒状に形成された、請求項２に記載のフロアパネル補強部材。
【請求項４】
前記支持脚は、前記パネル本体の中心、四隅及び各辺の中央の９箇所から垂下するように配置されていて、
前記ベース板は、前記天板の各辺に沿って延びて前記支持脚の間を通る複数の帯部が交差した井桁状に形成されている、請求項１乃至３のうち何れか１項に記載のフロアパネル補強部材。
【請求項５】
前記リブ内空間には、前記天板に形成された開口に連絡して貫通孔を形成するものが含まれ、
前記貫通孔の内面には、その内面の上側を外方に広げる段差が形成されていて、
前記落下規制部は、前記ベース板の上面から突出して前記段差に係止する係止爪である、請求項１乃至４のうち何れか１項に記載のフロアパネル補強部材。
【請求項６】
前記フロアパネルを構成する樹脂より高い難燃性を有する樹脂で構成された、請求項１乃至５のうち何れか１項に記載のフロアパネル補強部材。
【発明の詳細な説明】
【技術分野】
【０００１】
本開示は、床面の上に敷設される樹脂製のフロアパネルを補強するためのフロアパネル補強部材に関する。
【背景技術】
【０００２】
従来のフロアパネルとして、天板から複数の支持脚が垂下してなり、床面の上に敷設されると、床面と天板との間に配線スペースを形成するものが知られている（例えば、特許文献１）。また、天板の強度アップを図るために、天板の下面に、例えば、格子状のリブを形成したものも知られている。
【先行技術文献】
【特許文献】
【０００３】
【特許文献１】実用新案登録第３１８７４４９号（［００１２］、図１，２）
【発明の概要】
【発明が解決しようとする課題】
【０００４】
従来のフロアパネルでは、天板に大きな荷重がかかると、天板が曲げ変形するという問題があり、この曲げ変形の防止が求められている。
【課題を解決するための手段】
【０００５】
上記課題を解決するためになされた請求項１の発明は、平面視略正方形状の天板から複数の支持脚が垂下した構造を有して、床面の上に敷設されたときに該床面との間に配線スペースを形成する樹脂製のフロアパネルを補強するためのフロアパネル補強部材であって、前記天板に下方から重ねられて、前記天板の下面に突設された複数の下面リブに突き合わされるベース板と、前記ベース板の上面に突設され、前記複数の下面リブに囲まれて形成されるリブ内空間に差し込まれて該リブ内空間の変形を抑制する差込突部と、前記フロアパネルと係合して前記ベース板の落下を規制する落下規制部と、を有するフロアパネル補強部材である。
【０００６】
請求項２の発明は、前記差込突部は、前記リブ内空間の内周面に嵌合される、請求項１に記載のフロアパネル補強部材である。
【０００７】
請求項３の発明は、前記差込突部は、前記リブ内空間の内周面と同形状の筒状に形成された、請求項２に記載のフロアパネル補強部材である。
【０００８】
請求項４の発明は、前記支持脚は、前記天板の中心、四隅及び各辺の中央の９箇所から垂下するように配置されていて、前記ベース板は、前記天板の各辺に沿って延びて前記支持脚の間を通る複数の帯部が交差した井桁状に形成されている、請求項１乃至３のうち何れか１項に記載のフロアパネル補強部材である。
【０００９】
請求項５の発明は、前記リブ内空間には、前記天板に形成された開口に連絡して貫通孔を形成するものが含まれ、前記貫通孔の内面には、その内面の上側を外方に広げる段差が形成されていて、前記落下規制部は、前記ベース板の上面から突出して前記段差に係止する係止爪である、請求項１乃至４のうち何れか１項に記載のフロアパネル補強部材である。
【００１０】
請求項６の発明は、前記フロアパネルを構成する樹脂より高い難燃性を有する樹脂で構成された、請求項１乃至５のうち何れか１項に記載のフロアパネル補強部材である。
【発明の効果】
【００１１】
［請求項１〜６の発明］
請求項１の発明では、フロアパネル補強部材の差込突部が、フロアパネルにおいて複数の下面リブに囲まれて形成されるリブ内空間に差し込まれると、そのリブ内空間の変形が抑制され、天板の曲げ変形が抑制される。しかも、落下規制部によってベース板の落下が規制されるので、配線スペースが確保されると共に、差込突部が複数の下面リブに囲まれたリブ内空間に差し込まれた状態に保持される。
【００１２】
ここで、差込突部が、リブ内空間の内周面に嵌合される構成になっていると、リブ内空間の変形が一層困難になり、天板の曲げ変形の防止が一層図られる（請求項２の発明）。このような差込突部の例としては、リブ内空間と同形状の柱状やリブ内空間の内周面と同形状の筒状が挙げられる。後者の場合には、差込突部の軽量化が図られる（請求項３の発明）。また、フロアパネル補強部材が樹脂成形品である場合には、差込突部の成形性向上が図られる。
【００１３】
また、ベース板が天板のうち支持脚の非形成部分の全体に重ねられる構成になっていると、天板の全体を補強することが可能となる。例えば、支持脚が、天板の中心、四隅及び各辺の中央の９箇所から垂下するように配置されている場合には、天板の各辺に沿って延びて支持脚の間を通る複数の帯部が交差した井桁状に形成されればよい（請求項４の発明）。
【００１４】
また、脱落規制部として、差込突部の外面に、リブ内空間の内面に形成された凹部と係合する突起を設けてもよいし、天板に形成された開口にリブ内空間が連絡して貫通孔が形成される場合には、その貫通孔の内面の上側を外方に広げる段差と係止する係止爪を備えてもよい。後者によれば、係止爪が段差に係止しているか否かを視認できると共に、係止爪を段差から容易に外すことができる（請求項５の発明）。
【００１５】
なお、フロアパネル補強部材は、軽量化の観点から、樹脂で構成されることが好ましい。特に、フロアパネル補強部材がフロアパネルを構成する樹脂より高い難燃性を有する樹脂で構成される場合には、配線等の発火から天板の燃焼を守ることが可能となる（請求項６の発明）。
【図面の簡単な説明】
【００１６】
【図１】本開示の一実施形態に係るフロアパネル補強部材とフロアパネルを下側から見た斜視図
【図２】床面に敷設されたフロアパネルを上側から見た斜視図
【図３】フロアパネルを上側から見た斜視図
【図４】フロアパネルを下側から見た斜視図
【図５】フロアパネルの平面図
【図６】フロアパネルの底面図
【図７】フロアパネル補強部材を上側から見た斜視図
【図８】フロアパネル補強部材の平面図
【図９】フロアパネル補強部材の底面図
【図１０】フロアパネルに取り付けられる前のフロアパネル補強部材を下側から見た斜視図
【図１１】リブ内空間に差し込まれた差込突部の断面図
【図１２】（Ａ）フロアパネル補強部材がフロアパネルに取り付けられる前の係止爪と外側貫通孔の断面斜視図、（Ｂ）フロアパネル補強部材がフロアパネルに取り付けられた後の係止爪と外側貫通孔の断面斜視図
【図１３】他の実施形態に係るフロアパネルと係止爪の断面図
【発明を実施するための形態】
【００１７】
図１に示されるように、本実施形態のフロアパネル補強部材１０は、フロアパネル５０に取り付けられる。フロアパネル補強部材１０とフロアパネル５０は共に、樹脂の成形品である。
【００１８】
図３及び図４に示されるように、フロアパネル５０は、天板５１と、天板５１から垂下した複数の支持脚５２と、天板５１の下面に突設された複数の下面リブ６０と、を有する。図２に示されるように、フロアパネル５０は、床面９０の上に敷設されて、床面９０との間に、配線９１を引き回すための配線スペース９２を形成する。
【００１９】
フロアパネル５０には、支持脚５２として、天板５１の四隅から垂下した隅部支持脚５２Ａと、天板５１の各辺部の中央から垂下した辺部支持脚５２Ｂと、天板５１の中心部から垂下した中心支持脚５２Ｃと、の３種類が備えられている。
【００２０】
なお、図３に示されるように、支持脚５２は、上方に開放した四角筒状をなし、天板５１に形成された矩形開口５１Ｋの開口縁に連絡している。支持脚５２の内部には、支持脚５２を補強するための脚内リブ５２Ｌが設けられている。
【００２１】
図４及び図６に示されるように、複数の下面リブ６０には、天板５１の外周部から突出して隅部支持脚５２Ａと辺部支持脚５２Ｂとを連絡する複数の外側連絡リブ６１と、天板５１の内寄り部分から突出して辺部支持脚５２Ｂと中心支持脚５２Ｃとを連絡する複数の内側連絡リブ６２と、が設けられている。
【００２２】
本実施形態では、外側連絡リブ６１と内側連絡リブ６２は、それぞれ複数並列に設けられていて、隅部支持脚５２Ａと辺部支持脚５２Ｂとの間には、複数の外側連絡リブ６１で構成された外側梁部６３が形成され、辺部支持脚５２Ｂと中心支持脚５２Ｃとの間には、複数の内側連絡リブ６２で構成された内側梁部６４が形成されている。そして、天板５１の下面側には、外側梁部６３と内側梁部６４によって四方を囲まれた四角形領域Ｒ１が４つ形成されている。
【００２３】
図６に示されるように、複数の下面リブ６０には、格子状に配置された複数の梁連絡リブ６５と、四角形領域Ｒ１の対角線上に配置されて支持脚５２どうし（具体的には、隅部支持脚５２Ａと中心支持脚５２Ｃ、又は、辺部支持脚５２Ｂどうし）を連絡する対角リブ６６と、が設けられている。梁連絡リブ６５は、四角形領域Ｒ１を複数の四角部屋７１に区画し、四角形領域Ｒ１を挟む外側梁部６３と内側梁部６４を連絡する。また、対角リブ６６は、四角部屋７１を２つの三角部屋７２に分割する。
【００２４】
梁連絡リブ６５は、外側梁部６３を構成する複数の外側連絡リブ６１、及び、内側梁部６４を構成する複数の内側連絡リブ６２と交差する。そして、外側梁部６３には、外側連絡リブ６１どうしの間の隙間が梁連絡リブ６５によって区画された外側梁内空間７３が設けられ、内側梁部６４には、内側連絡リブ６２どうしの間の隙間が梁連絡リブ６５によって区画された内側梁内空間７４が設けられている。
【００２５】
なお、梁連絡リブ６５には、外側梁部６３と内側梁部６４の中央部どうしを連絡する第１梁連絡リブ６５Ａと、第１梁連絡リブ６５Ａと平行に延びる第２梁連絡リブ６５Ｂと、が設けられている。第１梁連絡リブ６５Ａは、対角リブ６６と同じ高さに形成されていて、第２梁連絡リブ６５Ｂは、第１梁連絡リブ６５Ａより低く形成されている。
【００２６】
図５及び図６に示されるように、天板５１のうち外側梁内空間７３と重なる部分には、複数の外側開口５３が形成されている。また、天板５１のうち内側梁内空間７４と重なる部分には、複数の内側開口５４が形成されている。そして、外側梁内空間７３は、外側開口５３に連絡して外側貫通孔５５を形成し、内側梁内空間７４は、内側開口５４に連絡して内側貫通孔５６を形成する。本実施形態のフロアパネル５０では、外側貫通孔５５及び内側貫通孔５６を備えたことで、配線スペース９２に引き回される配線９１（図２参照）をフロアパネル５０の上側から視認可能となる。なお、図６では、外側貫通孔５５を形成する外側梁内空間７３と内側貫通孔５６を形成する内側梁内空間７４が灰色で示されている。
【００２７】
なお、図３及び図４に示されるように、フロアパネル５０の外周部には、上側を外方に広げる外周段差部５０Ｄが形成されている。そして、外周段差部５０Ｄより上側の部分には、フロアパネル５０が床面９０に敷設されたときに隣接するフロアパネル５０どうしの位置ずれを規制するための位置決め突部５７と位置決め凹部５８が設けられている。
【００２８】
図７に示されるように、フロアパネル補強部材１０は、ベース板１１と、ベース板１１の上面に突設された複数の差込突部２１と、を備えている。
【００２９】
図８及び図９に示されるように、ベース板１１は、正方形状の中央板１２Ａから突片部１２Ｂが四方に飛び出してなる十字プレート１２を縦横に２つずつ繋げた構造になっていて、並列に並べられた帯部１３の２つの列が互いに直交するように組み合わされた井桁状に形成されている。なお、図８及び図９には、隣接する十字プレート１２どうしの境界が２点鎖線で示されている。
【００３０】
図７に示されるように、差込突部２１は、四角筒状に形成されている。本実施形態では、差込突部２１として、平面視正方形状をなす第１差込突部２１Ａと、平面視長方形状をなす第２差込突部２１Ｂと、の２種類が備えられている。第１差込突部２１Ａは、各十字プレート１２の中央寄り部分（詳細には、中央板１２Ａと突片部１２Ｂの境界部分）から突出し、第２差込突部２１Ｂは、各十字プレート１２の突片部１２Ｂから突出している（図８参照）。第１差込突部２１Ａの突出量と第２差込突部２１Ｂの突出量は同じになっている。
【００３１】
詳細には、第１差込突部２１Ａは、図８に示されるように、十字プレート１２の中央板１２Ａにおける正方形の各辺に沿って２つずつ並べて配置されている。また、第２差込突部２１Ｂは、突片部１２Ｂにおいて第１差込突部２１Ａに外側から対向し、長辺部分が第１差込突部２１Ａに臨むように配置されている。
【００３２】
図７に示されるように、フロアパネル補強部材１０には、ベース板１１の上面から突出する係止爪３０が設けられている。具体的には、係止爪３０は、十字プレート１２の突片部１２Ｂの両側部から突出して、突片部１２Ｂの幅方向に並んだ２つの第２差込突部２１Ｂを挟む。なお、係止爪３０の突出量は、第２差込突部２１Ｂの突出量より大きくなっている。
【００３３】
係止爪３０は、上方へ向かうにつれて突片部１２Ｂの幅方向に狭くなる三角形状に形成されている。具体的には、係止爪３０のうち突片部１２Ｂの幅方向内側を向く内向き面３０Ｍは、ベース板１１の上面に対して略垂直になっていて、その内向き面３０Ｍの上端部から突起３１が突出している。なお、突起３１は、第２差込突部２１Ｂより上側に配置される。また、ベース板１１のうち突起３１の下方に位置する部分には、係止爪３０の突起３１がアンダーカット形状になることを避けるための型抜き孔３２が形成されている（図９参照）。
【００３４】
フロアパネル補強部材１０をフロアパネル５０に取り付けるには、まず、図１０に示されるように、フロアパネル補強部材１０をフロアパネル５０の下方に配置して、ベース板１１の上面から突出する複数の差込突部２１を複数の下面リブ６０に突き合わせる。具体的には、フロアパネル５０の４つの四角形領域Ｒ１に、ベース板１１の４つの十字プレート１２の中央板１２Ａを重ね、隅部支持脚５２Ａと辺部支持脚５２Ｂの間に、十字プレート１２の突片部１２Ｂを配置する。このとき、ベース板１１の上面から突出する差込突部２１は、フロアパネル５０において複数の下面リブ６０に囲まれて形成されるリブ内空間の真下に配置される。具体的には、第１差込突部２１Ａは、四角形領域Ｒ１の四角部屋７１の真下に配置され、第２差込突部２１Ｂは、外側梁内空間７３又は内側梁内空間７４の真下に配置される（図６及び図８参照）。
【００３５】
次いで、図１０に矢印で示されるように、ベース板１１を天板５１に近づける。すると、図１１に示されるように、第１差込突部２１Ａが四角部屋７１に差し込まれると共に、第２差込突部２１Ｂが外側梁内空間７３又は内側梁内空間７４に差し込まれる。図１１では、下面リブ６０との区別を容易にするため、第１差込突部２１Ａ及び第２差込突部２１Ｂが灰色で示されている。なお、本実施形態において、差込突部２１の差込性の向上を図るために、差込突部２１の先端部を、先端へ向かうにつれて差込突部２１の内側へ向かうＲ形状やテーパー形状としてもよい。また、差込突部２１の先端は、天板５１の下面と当接してもよいし、当接しなくてもよい。
【００３６】
差込突部２１がリブ内空間に差し込まれると、図１２（Ａ）から図１２（Ｂ）への変化に示されるように、係止爪３０が外側貫通孔５５に差し込まれる。なお、フロアパネル５０にフロアパネル補強部材１０を取り付けた後の第２差込突部２１Ｂと係止爪３０のベース板１１からの突出量の差は、天板５１の厚み分よりも小さくなっていて、係止爪３０は、天板５１より上側に飛び出ないようになっている。
【００３７】
ここで、係止爪３０が差し込まれる外側貫通孔５５の内面には、その内面を外方に広げる段差５５Ｄ（図１２（Ａ）参照）が形成されていて、この段差５５Ｄに、係止爪３０の突起３１が係止する。これにより、ベース板１１の落下が防がれる。なお、本実施形態では、段差５５Ｄは、外側梁内空間７３を形成する梁連絡リブ６５（詳細には、第２梁連絡リブ６５Ｂ）が外側開口５３の内側にはみ出ることによって形成されている。
【００３８】
本実施形態では、係止爪３０の突起３１が外側貫通孔５５の段差５５Ｄに係止すると、ベース板１１の落下が規制され、フロアパネル補強部材１０がフロアパネル５０に装着される（図１参照）。このとき、ベース板１１は、複数の下面リブ６０に密接に重ねられ、配線スペース９２（図２参照）が確保される。なお、フロアパネル補強部材１０を構成する樹脂が、フロアパネル５０を構成する樹脂よりも高い難燃性を有していると、配線９１の断線等により、配線９１から発火した場合であっても天板５１の燃焼を守ることが可能となる。
【００３９】
このように、本実施形態のフロアパネル補強部材１０では、フロアパネル５０において複数の下面リブ６０に囲まれて形成されたリブ内空間（具体的には、四角部屋７１、外側梁内空間７３及び内側梁内空間７４）に差込突部２１が差し込まれると、そのリブ内空間の変形が抑制され、天板５１の曲げ変形が抑制される。しかも、係止爪３０によって、ベース板１１の落下が規制されるので、配線スペース９２が確保されると共に、差込突部２１がリブ内空間に差し込まれた状態に保持される。
【００４０】
さらに、本実施形態では、差込突部２１は、リブ内空間の内周面に嵌合される筒状に形成されているので、リブ内空間の変形が一層困難になると共に、差込突部２１の軽量化が図られる。
【００４１】
また、本実施形態では、ベース板１１が井桁状に形成されているので、ベース板１１が天板５１のうち支持脚５２の非形成部分の全体に重ねられることとなり、天板５１の全体を補強することが可能となる。
【００４２】
なお、本実施形態では、四角部屋７１、外側梁内空間７３及び内側梁内空間７４が特許請求の範囲に記載した「リブ内空間」に相当する。また、外側貫通孔５５が「貫通孔」に相当する。
【００４３】
［他の実施形態］
（１）上記実施形態では、係止爪３０は、外側貫通孔５５に差し込まれる構成であったが、図１３（Ａ）に示されるように、外側貫通孔５５に隣接し、かつ、上方が天板５１によって閉塞された外側梁内空間７３に差し込まれる構成であってもよい。この場合、外側梁内空間７３と外側貫通孔５５を連絡する連絡孔３３を形成し、その連絡孔３３に係止爪３０の突起３１を係合させればよい。
【００４４】
（２）上記実施形態において、図１３（Ｂ）に示されるように、フロアパネル５０の外周面に係止凹部３４を設けて、その係止凹部３４に係止爪３０の突起３１を係止させる構成であってもよい。この場合、係止凹部３４をフロアパネル５０の外周段差部５０Ｄより下方に配置して、係止爪３０をフロアパネル５０より外方にはみ出さないようにすればよい。
【００４５】
（３）図１３（Ｃ）に示されるように、外側貫通孔５５の内面に、係止爪３０の突起３１と係合する抜止突部３５を設けてもよい。
【００４６】
（４）上記実施形態では、差込突部２１は、リブ内空間と同形状の筒状に形成されていたが、リブ内空間と同形状の柱状に形成されてもよいし、リブ内空間と異なる形状の柱状又は筒状に形成されてもよい。後者の例としては、リブ内空間に内接する円柱又は円筒状や、四角形状のリブ内空間に内接する六角形状や八角形状等が挙げられる。差込突部２１は、平面視十字状又は平面視星形多角形状等であってもよい。この場合、差込突部２１は、十字や星形の末端でリブ内空間の内周面と当接すればよい。また、差込突部２１は、上記形状を組み合わせて形成されてもよい。
【００４７】
（５）上記実施形態において、差込突部２１に、四角形領域Ｒ１に形成された三角部屋７２に差し込まれるものが含まれてもよい。具体的には、ベース板１１のうち三角部屋７２の真下に配置される部位から、三角筒状の差込突部２１が突出してもよい。
【００４８】
（６）上記実施形態では、フロアパネル補強部材１０は、十字プレート１２を縦横に２つずつ繋げた井桁形状に形成されていたが、１つの十字プレート１２のみからなる十字形状に形成されてもよい。この場合、係止爪３０を、内側貫通孔５６にも差し込まれるようにして、その内側貫通孔５６の内面に、外側貫通孔５５の段差５５Ｄと同様、係止爪３０の突起３１に係止する段差を形成してもよい。
【００４９】
（７）上記実施形態において、天板５１のうち四角形領域Ｒ１と重なる部分に開口が形成されていてもよい。この場合、四角形領域Ｒ１の上側からも配線９１を視認可能となる。なお、梁連絡リブ６５及び対角リブ６６は、当該開口の下方を避けて配置されることが好ましく、当該開口の開口縁から突出することがより好ましい。
【符号の説明】
【００５０】
１０    フロアパネル補強部材
１１    ベース板
２１    差込突部
３０    係止爪
５０    フロアパネル
５１    天板
５２    支持脚
６０    下面リブ
【図１】
2020051024.tif 000003
【図２】
2020051024.tif 000004
【図３】
2020051024.tif 000005
【図４】
2020051024.tif 000006
【図５】
2020051024.tif 000007
【図６】
2020051024.tif 000008
【図７】
2020051024.tif 000009
【図８】
2020051024.tif 000010
【図９】
2020051024.tif 000011
【図１０】
2020051024.tif 000012
【図１１】
2020051024.tif 000013
【図１２】
2020051024.tif 000014
【図１３】
2020051024.tif 000015